(57)【要約】      （修正有）【課題】防護服を着用したまま殺菌できる防護服殺菌装置を提供する。【解決手段】防護服殺菌装置１０は、開閉扉１２を有し、防護服を着用した状態で出入できる小部屋１４と、小部屋内の上下面及び側面から中心に向けて波長２５４ｎｍ及び１８５ｎｍを主波長とする紫外線を照射するＵＶ照射手段３０と、小部屋内の側面の複数個所から中心に向けてエアを吹き付けるエア供給手段４０と、人を検知して開閉扉を開閉する開閉手段（人感センサ２０）と、を備え、ＵＶ照射手段は、波長２５４ｎｍの紫外線を線量４０ｍＪ／ｃｍ２とし、波長１８５ｎｍの紫外線により１．５ｐｐｍ以下のオゾンを生成する。【選択図】図１
0003230337.tif 000002
【実用新案登録請求の範囲】
【請求項１】
開閉扉を有し、防護服を着用した状態で出入できる小部屋と、
前記小部屋内の上下面及び側面から中心に向けて波長２５４ｎｍ及び１８５ｎｍを主波長とする紫外線を照射するＵＶ照射手段と、
前記小部屋内の側面の複数個所から中心に向けてエアを吹き付けるエア供給手段と、
人を検知して前記開閉扉を開閉する開閉手段と、
を備え、
前記ＵＶ照射手段は、前記波長２５４ｎｍの紫外線を線量４０ｍＪ／ｃｍ２とし、前記波長１８５ｎｍの紫外線により１．５ｐｐｍ以下のオゾンを生成することを特徴とする防護服殺菌装置。
【請求項２】
請求項１に記載された防護服殺菌装置であって、
前記開閉手段は、前記小部屋の外部の人を検知する人感センサを備えたことを特徴とする防護服殺菌装置。
【請求項３】
請求項１又は請求項２に記載の防護服殺菌装置であって、
前記小部屋は、室内を吸引する吸引ファンと、吸気中のウィルスを回収するフィルターを有して外部排気又は前記エア供給手段へ循環させる排気手段を備えたことを特徴とする防護服殺菌装置。
【考案の詳細な説明】
【技術分野】
【０００１】
本考案は医療従事者が医療行為時にウィルスなどの病原菌の付着や吸引を防ぐ目的で着用する防護服を殺菌する防護服殺菌装置に関する。
【背景技術】
【０００２】
医療従事者が医療行為時にウィルスなどの病原菌の付着や吸引を防ぐ目的で着用する防護服がある。使用後の防護服は廃棄処分となる。防護服を脱ぐときは、アルコール消毒を行いながら表面の汚染されている箇所に触れないように慎重に進めなければならない。
従来、被服の殺菌装置として特許文献１，２に開示の技術がある。
特許文献１に開示の装置は、密閉室内に被服類をハンガー掛けして入れて湿気を与えたのち、オゾンを導入してオゾンによる殺菌を行っている。
特許文献２に開示の技術は、タンス程度の本体にハンガー掛けした被服を入れて回転させる。そして被服に風を吹き付けて、オゾンにより脱臭し、紫外線を照射して殺菌する。花粉、埃、菌を含んだ風をろ過するフィルターを備えている。
【０００３】
しかしながら、防護服を脱衣する際に、誤って表面に付着したウィルス等に触れてしまい感染するおそれがあった。また、防護服を脱ぐ際に手袋でドアノブ等に触れて汚染を拡大させるおそれがあった。
また従来の殺菌装置は、いずれも被服そのものを室内に入れて殺菌するものであり、被服を着た状態で殺菌することを想定していない。
【先行技術文献】
【特許文献】
【０００４】
【特許文献１】特開平５−２１２１８７号公報
【特許文献２】実用新案登録第３１５２６９７号公報
【考案の概要】
【考案が解決しようとする課題】
【０００５】
本考案が解決しようとする課題は、上記従来技術の問題点に鑑み、防護服を着用したまま殺菌できる防護服殺菌装置を提供することにある。
【課題を解決するための手段】
【０００６】
本考案は、上記課題を解決するための第１の手段として、開閉扉を有し、防護服を着用した状態で出入できる小部屋と、
前記小部屋内の上下面及び側面から中心に向けて波長２５４ｎｍ及び１８５ｎｍを主波長とする紫外線を照射するＵＶ照射手段と、
前記小部屋内の側面の複数個所から中心に向けてエアを吹き付けるエア供給手段と、
人を検知して前記開閉扉を開閉する開閉手段と、
を備え、
前記ＵＶ照射手段は、前記波長２５４ｎｍの紫外線を線量４０ｍＪ／ｃｍ２とし、前記波長１８５ｎｍの紫外線により１．５ｐｐｍ以下のオゾンを生成することを特徴とする防護服殺菌装置を提供することにある。
上記第１の手段によれば、防護服を着たまま殺菌することができる。また防護服の殺菌時に、操作ボタン、ドアノブ等に触れることがなく、汚染を拡大するおそれがない。防護服にウィルス等の殺菌効果の高い紫外線を照射させることができる。またオゾンを発生させて、オゾンを含むエアを防護服表面に吹き付けることによりウィルス等を殺菌することができる。
【０００７】
本考案は、上記課題を解決するための第２の手段として、第１の手段において、
前記開閉手段は、前記小部屋の外部の人を検知する人感センサを備えたことを特徴とする防護服殺菌装置を提供することにある。
上記第２の手段によれば、装置を利用する人を検知してドアノブに触れることがなく開閉扉を開閉することができる。従って感染を拡大するおそれがない。
【０００８】
本考案は、上記課題を解決するための第３の手段として、第１又は第２の手段において、前記小部屋は、室内を吸引する吸引ファンと、吸気中のウィルスを回収するフィルターを有して外部排気又は前記エア供給手段へ循環させる排気手段を備えたことを特徴とする防護服殺菌装置を提供することにある。
上記第３の手段によれば、防護服に付着したウィルス等の病原体が紫外線照射によって死滅し、それを含むエアを排気する際にフィルターで回収できる。従って、室外に排気しても周囲の安全性を確保できる。
【考案の効果】
【０００９】
本考案によれば、防護服を着たまま殺菌することができる。また、防護服を着たまま操作ボタン、ドアノブ等に触れることなく殺菌することができ、汚染を拡大することがない。
【図面の簡単な説明】
【００１０】
【図１】本考案の防護服殺菌装置を斜め上方から見た斜視図である。
【図２】本考案の防護服殺菌装置を斜め下方から見た斜視図である。
【図３】本考案の防護服殺菌装置の上面図である。
【図４】本考案の防護服殺菌装置の側面図（開放扉の解放時）である。
【図５】図１のＡ−Ａ断面図である。
【図６】本考案の防護服殺菌装置を用いた殺菌処理フロー図である。
【考案を実施するための形態】
【００１１】
本考案の防護服殺菌装置の実施形態について、図面を参照しながら、以下詳細に説明する。なお本考案で防護服を着たままとは、作業者が防護服、ゴーグル、マスク、手袋のすべてを着用し、肌が露出していない状態をいう。
【００１２】
［防護服殺菌装置１０］
図１は本考案の防護服殺菌装置を斜め上方から見た斜視図である。図２は本考案の防護服殺菌装置を斜め下方から見た斜視図である。図３は本考案の防護服殺菌装置の上面図である。図４は本考案の防護服殺菌装置の側面図（開放扉の解放時）である。図５は図１のＡ−Ａ断面図である。
本考案の防護服殺菌装置１０は、開閉扉１２を有し、防護服を着用した状態で出入できる小部屋１４と、前記小部屋１４内の上下面及び側面から中心に向けて紫外線を照射するＵＶ照射手段３０と、前記小部屋１４内の側面の複数個所から中心に向けてエアを吹き付けるエア供給手段４０と、人を検知して前記開閉扉１２を開閉する開閉手段を備えている。
【００１３】
小部屋１４は防護服を着た人が立ったまま入れる大きさで密閉性が高く、所定強度の金属性（アルミスチール、ステンレスなど）又は木製のケーシングであり、一例として内部寸法が縦２２００ｍｍ、横１５００ｍｍ、奥行１５００ｍｍに設定している。小部屋１４は対向する側面に開閉扉１２を設けている。開閉扉１２は、上半分がガラスまたはアクリル製であり、内部が見えるようにしている。
小部屋１４の上方（開閉扉１２の上方）には開閉手段となる人感センサ２０を設置している。人感センサ２０は赤外線、超音波、可視光などを用いて人を検知する。小部屋１４の人感センサ２０は扉の前に立つ人を検知するとアクチュエータ（不図示）を介して開閉扉１２が開く、そして小部屋１４内に人が入ると開閉扉１２を閉じるように開閉制御（例えば、開閉扉が開いた後、所定時間経過後に閉じるなど）している。また開閉手段は、消毒殺菌処理した後に、ＵＶ照射手段３０の停止信号を受信して開閉扉１２を開ける制御を行い、開けた後に所定時間経過後に開閉扉１２を閉じる制御を行う。
【００１４】
ＵＶ照射手段３０は、波長２５４ｎｍ及び１８５ｎｍを主波長とする紫外線を小部屋１４内の上下面及び側面から中心に向けて照射可能な紫外線照射手段であり、本実施形態では、一例として小部屋１４の上面及び下面にスパイラルランプを設置している。また小部屋１４の側面角部（四隅）には長手方向に亘って６４インチの直管を取り付けて紫外線の照射面を小部屋１４の中心に向けて設置している。
ＵＶ照射手段３０は、波長２５４ｎｍの紫外線を線量４０ｍＪ／ｃｍ２で約１分間照射することにより殺菌でき、例えば、細菌ウィルスを９９．９９９％の不活性化を実現できる。
またＵＶ照射手段３０は、波長１８５ｎｍの紫外線により１．５ｐｐｍ以下の微量のオゾンを生成している。生成したオゾンは防護服の消毒殺菌及び脱臭効果がある。なお、酸素濃度を高くする（重酸素を用いる）ことにより、生成するオゾンの濃度を高めることができる。この場合、殺菌時間を短く、例えば１０秒などとすることができる。本発明のＵＶ照射手段３０は、防護服、ゴーグル、マスク、手袋のすべてを着用した状態のため、人体に何らかの影響を及ぼすおそれはない。
【００１５】
エア供給手段４０は、小部屋１４内の側面の複数個所から中心に向けてエアを吹き付けている。本実施形態のエア供給手段４０は、部屋内の対向する側面（開閉扉１２でない側面）に２つ取り付け、側面の長手方向に亘って吹付けノズル４２を中心に向けて設置している。吹付けノズル４２は配管を介して小部屋１４の外側に設置した吸引口４４に接続している。
このような構成のエア供給手段４０は、後述する排気手段５０の吸引ファン５４の稼働により吸引口４４を介して外気が小部屋１４内の吹付けノズル４２から内部に供給され、部屋内に立つ人の防護服にエアを吹き付けることができる。このとき、ＵＶ照射手段３０で生成されるオゾンをエアと共に吹き付けることができ、防護服の消毒殺菌効果を高めることができる。
【００１６】
排気手段５０は、小部屋１４の床面に設けた吸引ファン５２と、フィルター５４と排気ダクト５６を有している。
小部屋１４の床面はグレーチング状に形成されている。吸引ファン５２は床面に吸引口を設けて、室内を所定の陰圧で吸引する。吸引ファン５２は小部屋１４の外部に設けた排気ダクト５６に接続して排気している。排気ダクト５６にはフィルター５４を設置している。フィルター５４は室内で不活性化されたウィルス等を回収するものであり、本実施形態では一例としてＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルターを用いている。
【００１７】
［作用］
上記構成による本考案の防護服殺菌装置の作用について以下説明する。図６は、本考案の防護服殺菌装置を用いた殺菌処理フロー図である。
ステップ１
防護服（ゴーグル、マスク、手袋も着用）を着た人が開閉扉１２の前に立つと開閉手段の人感センサ２０が検知する。
ステップ２
人感センサ２０の検知信号に基づいてアクチュエータを介して開閉扉１２が開く。人が小部屋１４内に入ると開閉扉１２を閉じる。
【００１８】
ステップ３
小部屋１４内では、ＵＶ照射手段３０により波長２５４ｎｍ及び１８５ｎｍを主波長とする紫外線が上下面及び側面から中心の防護服を着た人に向けて照射される。ＵＶ照射手段３０は、波長２５４ｎｍの紫外線を線量４０ｍＪ／ｃｍ２で約１分間照射することにより殺菌でき、例えば、細菌ウィルスを９９．９９９％の不活性化を実現できる。また波長１８５ｎｍの紫外線により１．５ｐｐｍ以下の微量のオゾンを生成している。生成したオゾンは防護服の消毒殺菌及び脱臭効果がある。
同時にエア供給手段４０及び排気手段５０が稼働して、吸引ファン５２により室内が陰圧下となり、エア供給手段４０の吸引口から外気が吸い込まれて、吹付けノズル４２からエアが防護服を着た人に向けて吹付けられる。このときＵＶ照射手段３０で生成されるオゾンをエアと共に吹き付けることができ、防護服の消毒殺菌効果を高めることができる。
【００１９】
ステップ４
小部屋１４内の防護服の消毒殺菌は１分程度で完了する。ＵＶ照射手段３０が停止し、排気手段５０はその後、所定時間稼働して排気し続ける。
ＵＶ照射手段３０が停止すると開閉手段により開閉扉１２が開き、防護服を着た人が外部に出ると開閉扉１２が閉じられる。
このような本考案によれば、防護服を着たまま殺菌することができる。また、防護服を着たまま操作ボタン、ドアノブ等に触れることなく殺菌することができ、汚染を拡大することがない。
なお、排気手段は、排気ダクトをエア供給手段の吸引口に接続させてエアを循環させる構成であっても良い。
【００２０】
また小部屋は組立式の簡易な構成であり容易に移動できる。このため、医療施設などで治療室と着替え室の間に設置することができる。
開閉手段の人感センサは２つの開閉扉の上方に配置しておくと良い、これにより２つのうちどちらの扉側からでも出入りして消毒殺菌することができる。
開閉扉は小部屋に１つ設置した構成であっても防護服の消毒殺菌を実現できる。
以上、本考案の好ましい実施形態について説明した。しかしながら、本考案は、上記実施形態に何ら制限されることなく、本考案の主旨を逸脱しない範囲において、種々の変更が可能である。
また、本考案は、実施形態において示された組み合わせに限定されることなく、種々の組み合わせによって実施可能である。
【符号の説明】
【００２１】
１０  防護服殺菌装置
１２  開閉扉
１４  小部屋
２０  人感センサ
３０  ＵＶ照射手段
４０  エア供給手段
４２  吹付けノズル
４４  吸引口
５０  排気手段
５２  吸引ファン
５４  フィルター
５６  排気ダクト
【図１】
0003230337.tif 000003
【図２】
0003230337.tif 000004
【図３】
0003230337.tif 000005
【図４】
0003230337.tif 000006
【図５】
0003230337.tif 000007
【図６】
0003230337.tif 000008